(57)【要約】【課題】トークン発行機の金庫の安全性を確保できるようにする。【解決手段】トークン発行機に投入された金銭を収納する、そのトークン発行機に出入れ自在に設けられた金庫と、前記トークン発行機から発行されるトークンと同じトークンからなる、前記金庫に貼付されたトークンと、前記金庫が前記トークン発行機の所定位置に装着されたときに、その金庫に貼付された前記トークンと非接触で交信を行う交信手段と、交信に基づいて前記金庫の管理を行う管理手段とを有する。【選択図】      図１
2004332345.tif 000002
【特許請求の範囲】
【請求項１】
トークン発行機に投入された金銭を収納する、そのトークン発行機に出入れ自在に設けられた金庫と、
前記トークン発行機から発行されるトークンと同じトークンからなる、前記金庫に貼付されたトークンと、
前記金庫が前記トークン発行機の所定位置に装着されたときに、その金庫に貼付された前記トークンと非接触で交信を行う交信手段と、
交信に基づいて前記金庫の管理を行う管理手段と、
を有することを特徴とするトークン発行機用金庫装置。
【請求項２】
請求項１に記載のトークン発行機用金庫装置において、トークン発行機に金庫の取扱いを行う者を特定する情報が入力されたときに、その金庫がそのトークン発行機から引出し可能となる施錠手段が設けられていることを特徴とするトークン発行機用金庫装置。
【請求項３】
請求項１又は２に記載のトークン発行機用金庫装置において、金庫は、トークン発行機の外に引出されたときに自動的に施錠されるオートロック機構付きであることを特徴とするトークン発行機用金庫装置。
【発明の詳細な説明】
【０００１】
【発明の属する技術分野】
本発明はトークン発行機用金庫装置に係り、特に、トークン発行機に装着される金庫の取扱いの安全性を高めることができるようにしたものに関する。
【０００２】
【従来の技術】
近年、首都圏においては、利用者（旅客）の利便向上を図るために、定期券やＳＦカード（ストアードフェアカード）を無線機能を備えたＩＣカードからなる非接触券とし、自動改札機をその非接触券を処理することのできる非接触式自動改札機とした改札システムが運用されている。
【０００３】
他方、普通乗車券や回数券等の短期使用券は、上記非接触券は製造コストが高いために従来と同様の磁気券で運用されている。したがって、非接触式自動改札機には、磁気券を処理するためのカードハンドラも組込まれている。このように、改札システムで用いられる媒体として非接触券と磁気券が存在するために、磁気券を処理するための投入型の自動改札機が廃止することができず、設備コストがかさむという欠点がある。
【０００４】
上述の欠点を除去するために、本出願人は、先に、短期使用券を無線機能を備えたＩＣカードの機能を備えたコイン（硬貨）状のトークンとし、そのトークンを回収・発行して繰返し使用できる改札システムを提案している（特許文献１参照。）。
【０００５】
【特許文献１】特開２００２−３３４３６０号公報
【０００６】
【発明が解決しようとする課題】
上述のように、短期使用券をトークンとした場合、そのトークンは、従来の磁気券と同様に、利用者が硬貨又は紙幣の金銭をトークン発行機に投入して購入することになるので、トークン発行機に投入された金銭の安全な取扱いが望まれていた。
【０００７】
そこで、本発明は、上記要望に応えるためになされたものであって、その目的は、トークン発行機に投入された金銭を安全に取扱うことのできるトークン発行機用金庫装置を提供することにある。
【０００８】
【課題を解決するための手段】
本発明に係るトークン発行機用金庫装置は、上記目的を達成するために、請求項１に記載の発明は、トークン発行機に投入された金銭を収納する、そのトークン発行機に出入れ自在に設けられた金庫と、前記トークン発行機から発行されるトークンと同じトークンからなる、前記金庫に貼付されたトークンと、前記金庫が前記トークン発行機の所定位置に装着されたときに、その金庫に貼付された前記トークンと非接触で交信を行う交信手段と、交信に基づいて前記金庫の管理を行う管理手段と、を有することを特徴としている。
本発明の請求項２に記載のトークン発行機用金庫装置は、トークン発行機に金庫の取扱いを行う者を特定する情報が入力されたときに、その金庫がそのトークン発行機から引出し可能となる施錠手段が設けられていることを特徴としている。
本発明の請求項３に記載のトークン発行機用金庫装置は、金庫は、トークン発行機の外に引出されたときに自動的に施錠されるオートロック機構付きであることを特徴としている。
【０００９】
【発明の実施の形態】
以下、本発明の実施の形態を図面に基づいて説明する。図１は、一実施の形態に係るトークン発行機用金庫装置を組込んだトークン発行機イの概略構成図である。
【００１０】
図１中、１は、トークン発行機イの接客面イ′に設けられた入力部であって、利用者の希望する後述するトークンＴの口座を入力できるように構成されている。この入力部１は、通常、タッチパネルから構成されるが、押釦式の口座釦群で構成することもできる。また、２は、接客面イ′に設けられた硬貨の投入口である。なお、トークン発行機イがトークンＴの購入代金を紙幣でも行えるように運用されているときは、接客面イ′には紙幣の投入口も設けられる。また、同様に、そのトークンＴをプリペイドカード等のカード類で購入できるように運用されているときは、接客面イ′にはカード挿入口も設けられる。本発明では、説明を簡単にするために、トークン発行機イで使用される金銭は硬貨として説明する。
【００１１】
図１中、４は、トークンＴを利用者へ渡すための接客面イ′に設けられた取出口であり、５は、釣銭を利用者へ渡すための接客面イ′に設けられた釣銭口である。
【００１２】
図１中、１０は、トークン発行機イ内に設けられたトークン発行機構であり、ホッパ１１に収納されている多数のトークンＴ，Ｔ…を繰出部１２を介して１枚ずつシュータ１３に排出できるように構成されている。このシュータ１３は、重力を利用して繰出部１２から繰出されたトークンＴを上記取出口４へ摺動しながら排出できるように構成されている。そして、このシュータ１３の上流側には、アンテナａ１  が設けられていて、そのシュータ１３を摺動しながら落下するトークンＴと交信できるように構成されている。また、このシュータ１３の下流側には、ウイング１４が設けられていて、データの書込不良等の発生した異常トークンＴを補助シュータ１３′を介して回収箱１５に回収できるように構成されている。
【００１３】
上記構成のトークン発行機構１０のトークン発行制御動作について概略説明すると、利用者により入力部１で所定の口座釦が選択され、その選択された口座釦に対応した金額を満たす金銭が投入口２から投入されると、繰出部１２から１枚のトークンＴがシュータ１３に排出されるように構成されている。そして、その繰出されたトークンＴがアンテナａ１  の近くを通過する際、そのトークンＴのメモリに発行日や乗車区間等の短期使用券としての所定のデータ（トークンデータ）が書込まれるように構成されている。したがって、所定のトークンデータの書込まれたトークンＴは、取出口４に排出されるので、利用者は、そのトークンＴを用いて非接触式自動改札機を介して列車（電車）に乗車することができる。
【００１４】
図１中、２０は、金銭処理機構であって、投入口２から投入された硬貨（図示せず）の種別及び真偽を検銭する検銭部２１と、正貨と判定された硬貨を金種毎に振分ける振分部２２と、振分けられた硬貨を金種毎に一人の利用者に対する一連のトークン発行処理が終了するまで一時保留する一時保留部２３とから構成されている。なお、この金銭処理機構２０には、釣銭を排出する釣銭ユニットも設けられているが、ここでは省略されている。
【００１５】
上記構成の金銭処理機構の制御動作の概略を説明すると、投入口２から投入された硬貨は、検銭部２１で検銭され、正貨と判定された硬貨は振分部２２に送られるように構成されている。なお、検銭部２１で偽貨（トークン発行機イで使用不可とされている。例えば、１円硬貨等も含む。）は、図示しない経路を介して釣銭口５に排出されて利用者へ返却される。
【００１６】
振分部２２で金種毎に振分けられた硬貨は、金種毎に一時保留部２３内に収納される。この一時保留部２３内に収納された硬貨は、投入口２に硬貨を投入した利用者に対するトークンＴの発行処理が終了すると、回収経路２４を介して後述する金庫５０に収納され、トークンＴの発行終了前に利用者のトークン購入が中止されたとき、すなわち、入力部１の取消釦が押下されたときは、経路２５を介して一時保留部２３内の硬貨は釣銭口５に排出されて利用者へ返却される。なお、上記経路２４，２５及び金銭処理機構２０に示される太い線は、シュータやベルトコンベア等の硬貨搬送路により構成されている。また、経路２４は、必要に応じて受入れた硬貨を図示しない釣銭ユニットへ移送できるように構成されているが、ここでは省略されている。
【００１７】
図１中、３０は、トークン発行機イの接客面イ′と反対側の裏面に設けられた係員処理部であり、図示しないがタッチパネルを備えていて、係員が所定の情報（データ）を入力できるように構成されている。また、４０は、トークン発行機イを統括的に制御する制御器である。この制御器４０については後述する。
【００１８】
図１中、５０は、金庫であって、トークン発行機イの裏面側から出入れできる台車５１上に載置されている。この台車５１は、施錠機構５２によりトークン発行機イからの自由な取出し（引出し）が阻止されるように構成されている。
【００１９】
金庫５０の一側面外側には、１個のトークンＴ０  が貼付されている。このトークンＴ０  は、ホッパ１１内に収納されるトークンＴ，Ｔ…と同一のトークンであり、金庫５０が台車５１に載置され、その台車５１がトークン発行機イ内の所定位置に位置しているとき、すなわち、図１に示される状態のとき、トークン発行機イ内に設けられているアンテナａ２  と非接触で交信できるように構成されている。
【００２０】
図２は、金庫５０の詳細を示す斜視図である。この金庫５０は、本出願人が先に特開平７−３３４７２６号及び同８−７７４１５号で提案しているオートロック式の金庫である。すなわち、この金庫５０は、上部に一時保留部２３側からの硬貨を受入れる受入口５３を有し、この受入口５３は、蓋部材５４を有している。そして、この金庫５０の側面の一部には、収納されている硬貨を排出するための扉５５が設けられている。
【００２１】
上記蓋部材５４は、受入口５３の面よりも上方に突出する突起５４ａがトークン発行機イ側に設けられている図示しない係止片と係合して操作されることにより、金庫５０がトークン発行機イ内の所定位置（図１に示される位置）に位置したときに受入口５３を開き、その金庫５０がトークン発行機イの外側に位置したとき（持出されたとき）は受入口５３を閉じるように構成されている（図２の状態参照）。そして、その閉じられた蓋部材５４は、図示しない施錠機構により施錠されるように構成されている。したがって、金庫５０がトークン発行機イの外に持出されたときでも、受入口５３から硬貨が持出されるのを防止することができる。
【００２２】
上記扉５５は、金庫５０内の硬貨を排出するときに開かれるもので、金庫５０を管理する管理者の所持する図示しない鍵が金庫５０に設けられている鍵穴５６に挿入されて操作されたときに、図示しない施錠機構により開かれるように構成されている。
【００２３】
なお、図１の例では、金庫５０は、１個のみ示されているが、通常、金種毎の複数個設けられ、したがって、台車５１には複数の金庫５０，５０…が載置される。もちろん、全ての金種の硬貨を一つの金庫５０に収納するようにしているときは、１個の金庫５０のみが台車５１に載置される。
【００２４】
図３は、制御器４０及びトークンＴ０  （ホッパ１１内に収納されているトークンＴ，Ｔ…も同じ。）のブロック図である。制御器４０側から説明すると、制御器４０は、メモリ４１に記憶されているシステムプログラムデータ及びワーキングデータを基に演算処理する中央処理部（ＣＰＵ）４２を有している。そして、このＣＰＵ４２には、上記入力部１、トークン発行機構１０、金銭処理機構２０及び係員操作部３０がそれぞれ接続されている。また、このＣＰＵ４２には、アンテナａ１  ，ａ２  を介してトークンＴ，Ｔ０  に記録されているデータ（トークンデータ）を読取るとともに、トークンＴ，Ｔ０  に対して必要に応じて所定のデータを書込むことのできるリーダライタ４３が接続されている。
【００２５】
トークンＴ０  は、アンテナ６０ａを介してトークン発行機イ側と交信を行う通信制御部６０と、トークンＴ０  を統括的に制御するＣＰＵ６１と、トークンＴ０  の識別情報（ＩＤ）等の所定のトークンデータを記憶するメモリ６２と、トークン発行機イ側からの電力波を受信してトークンＴ０  の駆動電力を生成する電力生成回路６３とを有している。
【００２６】
次に、トークンＴ０  を貼付した上記金庫５０の取扱いを説明すると、金庫５０が満杯になり、あるいは、金銭の回収時刻が到来すると、係員操作部３０から所定のデータが入力される。この入力されるデータは、少なくとも金庫５０をトークン発行機イから外へ持出そうとしている係員を特定するデータを含み、必要に応じて所定の暗号データ（金庫５０をトークン発行機イ外に持出すための暗号データ）等の所定のデータである。
【００２７】
係員操作部３０からの所定のデータの入力が正常に行われたときは、その入力されたデータ内容がメモリ４１に記憶されるとともに、施錠機構５２が解錠され、台車５１の引出しが可能となる。台車５１が引出されるまで、トークンＴ０  は、アンテナａ２  を介してトークン発行機イ側と交信状態に保たれ、その交信状態が保たれているとき、制御器４０は、トークンＴ０  のデータ（トークンＩＤ）に基づいて金庫５０が装着（セット）されていることを検出してセット状態を管理することができる。そして、台車５１が引出されてトークンＴ０  がアンテナａ２  から離れると、そのトークンＴ０  とアンテナａ２  （リーダライタ４２）との間の交信が絶たれるので、金庫５０がトークン発行機イ外に持出されたことを検出することができる。しかも、この検出信号は、係員操作部３０から入力された係員を特定するデータと関連付けてメモリ４１に記憶されるので、制御器４０（ＣＰＵ４２）でｆ＜ｇｙｂ５０“取扱った係員を管理することができ、不測の事故を未然に防止することができる。また、必要に応じてメモリ４１に記憶されている金庫５０の取扱情報を係員操作部３０を介してアウトプットすることもできる。さらに、メモリ４１に記憶されているデータを基に、トークン発行機イを管理制御する上位機器（駅務機器制御装置）で金庫５０を管理することも可能である。
【００２８】
上述のように、金庫５０は、トークン発行機イから発行されるトークンＴ，Ｔ…の一つのトークンＴ０  を貼付しているので、そのトークンＴ０  を利用して金庫５０の管理を安価に効率よく、しかも、安全に行うことができる。
【００２９】
【発明の効果】
本発明の請求項１に記載のトークン発行機用金庫装置は、トークン発行機に投入された金銭を収納する、そのトークン発行機に出入れ自在に設けられた金庫と、前記トークン発行機から発行されるトークンと同じトークンからなる、前記金庫に貼付されたトークンと、前記金庫が前記トークン発行機の所定位置に装着されたときに、その金庫に貼付された前記トークンと非接触で交信を行う交信手段と、交信に基づいて前記金庫の管理を行う管理手段とを有するので、金庫の管理を安価に効率よく、しかも、安全に行うことができる。
本発明の請求項２に記載のトークン発行機用金庫装置は、トークン発行機に金庫の取扱いを行う者を特定する情報が入力されたときに、その金庫がそのトークン発行機から引出し可能となる施錠手段が設けられているので、金庫の安全性を高めることができる。
本発明の請求項３に記載のトークン発行機用金庫装置は、金庫は、トークン発行機の外に引出されたときに自動的に施錠されるオートロック機構付きとしたので、金庫の安全性をより高めることができる。
【図面の簡単な説明】
【図１】本発明の一実施の形態に係るトークン発行機用金庫装置を組込んだトークン発行機の概略構成図である。
【図２】金庫の斜視図である。
【図３】制御器及びトークンのブロック図である。
【符号の説明】
イ  トークン発行機
１  入力部
１０  トークン発行機構
２０  金銭処理機構
３０  係員操作部
４０  制御器
５０  金庫
Ｔ，Ｔ０    トークン
【図１】
2004332345.tif 000003
【図２】
2004332345.tif 000004
【図３】
2004332345.tif 000005
【手続補正書】
【提出日】平成15年5月21日(2003.5.21)
【手続補正１】
【補正対象書類名】明細書
【補正対象項目名】００２７
【補正方法】変更
【補正の内容】
【００２７】
係員操作部３０からの所定のデータの入力が正常に行われたときは、その入力されたデータ内容がメモリ４１に記憶されるとともに、施錠機構５２が解錠され、台車５１の引出しが可能となる。台車５１が引出されるまで、トークンＴ０  は、アンテナａ２  を介してトークン発行機イ側と交信状態に保たれ、その交信状態が保たれているとき、制御器４０は、トークンＴ０  のデータ（トークンＩＤ）に基づいて金庫５０が装着（セット）されていることを検出してセット状態を管理することができる。そして、台車５１が引出されてトークンＴ０  がアンテナａ２  から離れると、そのトークンＴ０  とアンテナａ２  （リーダライタ４２）との間の交信が絶たれるので、金庫５０がトークン発行機イ外に持出されたことを検出することができる。しかも、この検出信号は、係員操作部３０から入力された係員を特定するデータと関連付けてメモリ４１に記憶されるので、制御器４０（ＣＰＵ４２）で金庫５０を取扱った係員を管理することができ、不測の事故を未然に防止することができる。また、必要に応じてメモリ４１に記憶されている金庫５０の取扱情報を係員操作部３０を介してアウトプットすることもできる。さらに、メモリ４１に記憶されているデータを基に、トークン発行機イを管理制御する上位機器（駅務機器制御装置）で金庫５０を管理することも可能である。